(57)【要約】【課題】  各台間機のカード収納状態を適正状態に保持するのに適した遊技台用台間機を提案すること。【解決手段】  台間機６の前面パネル２３の上端には状態表示ランプ２４が取り付けられ、カードストッカ２０の収納枚数が正常状態の間は緑色の点灯状態とされ、収納枚数が零になると紫色の点灯状態に切り替わり、収納枚数が最大枚数に達すると黄色の点灯状態に切り替わる。リモートコントローラ１２の起動ボタン４１を押して台間機６のモードを切り替えて紫色の補充ボタン４３を押すとカードの補充モードになり、黄色の回収ボタン４４を押すとカードの回収モードに切り替わる。補充・回収モードにおいては、台間機前面パネル２３のカード挿入口２９からカードの補充・回収を行うことができる。【選択図】  図１
2005342243.tif 000002
【特許請求の範囲】
【請求項１】
遊技媒体の貸し出しのために用いる遊技用記憶媒体を収納する収納部と、
前記収納部に収納されている前記遊技用記憶媒体の収納状態を表示する状態表示ランプと、
前記収納状態に応じて異なる表示形態で前記状態表示ランプを駆動させる制御部とを有している遊技台用台間機。
【請求項２】
請求項１において、
前記状態表示ランプは、前記収納状態に応じて異なる色で点灯することを特徴とする遊技台用台間機。
【請求項３】
請求項２において、
前記収納状態には、前記遊技用記憶媒体の収納数が零の空状態と、収納数が前記収納部に収納可能な最大数である満杯状態と、収納数が前記空状態および前記満杯状態以外の数である正常状態とが含まれていることを特徴とする遊技台用台間機。
【請求項４】
請求項３において、
前記状態表示ランプは、前記空状態では紫色で点灯し、前記満杯状態では黄色で点灯し、前記正常状態では緑色で点灯することを特徴とする遊技台用台間機。
【請求項５】
請求項１ないし４のうちのいずれかの項において、
遊技用記憶媒体に担持されている残金額を度数で表示するための度数表示部を有しており、
当該度数表示部は、隣接配置されている遊技台に配置されており、前記収納部に収納されている前記遊技用記憶媒体の収納枚数を表示可能であることを特徴とする遊技台用台間機。
【請求項６】
請求項３において、
前記収納部に対して台間機前面に設けた挿入口を介して前記遊技用記録媒体の補充および回収を行う補充・回収機構を有していることを特徴とする遊技台用台間機。
【請求項７】
請求項６において、
前記補充・回収機構を駆動制御するための信号を発生可能なリモートコントローラを有していることを特徴とする遊技台用台間機。
【請求項８】
請求項７において、
前記リモートコントローラは、
前記収納部に対する前記遊技用記録媒体の補充あるいは回収を行う動作モードを起動させるための起動信号を発生する起動ボタンと、
前記動作モードを解除させるための解除信号を発生する解除ボタンと、
前記遊技用記録媒体の補充動作の開始を指示する補充信号を発生する補充ボタンと、
前記遊技用記録媒体の回収動作の開始を指示する回収信号を発生する回収ボタンとを備えており、
前記制御部は、前記の各信号を受け取ると、各信号に対応した動作状態となるように前記補充・回収機構を制御することを特徴とする遊技台用台間機。
【請求項９】
請求項８において、
前記補充ボタンは、前記状態表示ランプの前記空状態を表す点灯色に対応した色のボタン操作面を備え、
前記回収ボタンは、前記状態表示ランプの前記満杯状態を表す点灯色に対応した色のボタン操作面を備えていることを特徴とする遊技台用台間機。
【請求項１０】
請求項９において、
前記状態表示ランプは、前記空状態では紫色で点灯し、前記満杯状態では黄色で点灯し、前記正常状態では緑色で点灯し、
前記補充ボタンは紫色のボタン操作面を備え、
前記回数ボタンは黄色のボタン操作面を備え、
前記起動ボタンは緑色のボタン操作面を備え、
前記解除ボタンは赤色のボタン操作面を備えていることを特徴とする遊技台用台間機。
【請求項１１】
請求項６において、
前記補充・回収機構による前記遊技用記憶媒体の補充あるいは回収動作時に、前記収納部に収納されている前記遊技用記憶媒体の数を表示するアナウンス表示部を有していることを特徴とする遊技台用台間機。
【請求項１２】
請求項８において、
前記の補充あるいは回収を行う動作モードが起動されている間は、前記状態表示部は当該動作モータが起動中である旨を表す表示形態で駆動されることを特徴とする遊技台用台間機。
【請求項１３】
複数の遊技台と、
各遊技台に隣接配置されている複数の遊技台用台間機と、
通信回線を介して各遊技台および各遊技台用台間機に接続され、これらを集中管理する管理装置とを有し、
前記遊技台用台間機は請求項１ないし１２のうちのいずれかの項に記載のものであり、
前記管理装置は、各遊技台用台間機から前記収納部に収納されている前記遊技用記憶媒体の収納枚数を表す情報を受信可能であることを特徴とする遊技システム。
【発明の詳細な説明】
【技術分野】
【０００１】
本発明は、パチンコ玉などの遊技媒体の貸し出しを行う遊技台用台間機に関し、特に、磁気カード、ＩＣカードなどの遊技用記憶媒体を用いて遊技媒体の貸し出しを行う機能と、当該遊技用記憶媒体の発行機能を備えた遊技台用台間機に関するものである。また、本発明は当該遊技台用台間機を備えた遊技システムに関するものである。
【背景技術】
【０００２】
パチンコ台などの遊技台の間には、パチンコ玉などの遊技媒体を貸し出すための縦長で扁平な台間機が設置されている。台間機としては、磁気カード、ＩＣカードなどのカードによる玉貸し機能を備えたものが知られている。
【０００３】
カードを使用可能な台間機としては、下記の特許文献１に開示されているように、カードの発行機能を備えたものも知られている。カードの発行機能を備えた台間機は、カードリーダライタおよびカードストッカを備え、紙幣が投入されると、カードストッカから記録金額が０円の０円カードを搬出して、投入額に対応する金額を記録した後に、カード挿入口から遊技者に発行するようになっている。また、カード挿入口から受け入れて遊技媒体の貸し出しを行うことにより記録金額が０円に戻ったカードを、カードストッカ内に回収し、あるいは台間機後方に排出して回収するようになっている。
【特許文献１】特開２００２−１２６３２９号公報
【発明の開示】
【発明が解決しようとする課題】
【０００４】
カード発行機能を備えた遊技台用台間機において、カードストッカに収納されているカードが無くなるとカードを発行できなくなる。紙幣、硬貨による遊技媒体の貸し出し機能が備わっていない場合には、遊技者は席を立って、遊技店内に設置されているカード発行機まで出向いてカードを購入する必要があるので、極めて不便である。かかる不便さを解消するために、店員は、カードを持ちながら遊技台を常に見回って、カードが無くなって遊技媒体の貸し出しができなくなった遊技台を見つけて、カードを補充する必要がある。また、使い終わったカードをカードストッカ内に回収している遊技台用台間機の場合には、店員は、カードストッカが回収したカードで一杯になっている台を見つけて、その回収を行う作業も必要である。さらに、カードの補充および回収時には、台間機を補充・回収モードに切り替えるための操作が必要である。このための操作部や操作方法は、遊技者などの一般の人が操作できないように、隠れた部位に配置され、あるいは複雑な操作手順を必要としている。
【０００５】
本発明の課題は、このような点に鑑みて、遊技用記憶媒体の補充あるいは回収が必要であることを簡単に識別可能な遊技台用台間機を提案することにある。
【０００６】
また、本発明の課題は、遊技用記憶媒体の補充あるいは回収を簡単な操作により行うことのできる遊技台用台間機を提案することにある。
【０００７】
さらに、本発明の課題は、各遊技台用台間機の遊技用記憶媒体の収納状態を集中管理可能な遊技システムを提案することにある。
【課題を解決するための手段】
【０００８】
上記の課題を解決するために、本発明の遊技台用台間機は、
遊技媒体の貸し出しのために用いる遊技用記憶媒体を収納する収納部と、
前記収納部に収納されている前記遊技用記憶媒体の収納状態を表示する状態表示ランプと、
前記収納状態に応じて異なる表示形態で前記状態表示ランプを駆動させる制御部とを有していることを特徴としている。
【０００９】
ここで、前記状態表示ランプを、前記収納状態に応じて異なる色で点灯させることが望ましい。
【００１０】
また、前記表示ランプにより、前記遊技用記憶媒体の収納数が零の空状態と、収納数が前記収納部に収納可能な最大数である満杯状態と、収納数が前記空状態および前記満杯状態以外の数である正常状態を、異なる表示形態で表示されることが望ましい。
【００１１】
このように、遊技台用台間機の収納部の収納状態を状態表示ランプによって異なる表示形態で表示しているので、遊技店の店員は、各遊技台用台間機の状態表示ランプを見るだけで、直ちに、カードの補充あるいは回収が必要であるか否かを理解できる。よって、カードの補充や回収動作を迅速かつ的確に行うことが可能になる。
【００１２】
ここで、状態表示ランプを異なる色で点灯表示する場合には、前記空状態を紫色点灯で表示し、前記満杯状態を黄色点灯で表示し、前記正常状態を緑色で点灯表示することが望ましい。最も急を要する補充が必要な場合(空状態)を紫色で表示し、次に急を要する回収が必要な場合(満杯状態)を黄色で表示し、対応が不要の場合(正常状態)を緑色で表示すると、信号機の色表示と同様な感覚で、緊急度を直感的に把握できるという利点がある。
【００１３】
また、遊技用記憶媒体を用いて遊技媒体の貸し出しを行う遊技台用台間機は、一般に、隣接配置されている遊技台に取り付けた度数表示部を備えている。この度数表示部には、使用されている遊技用記憶媒体に担持されている残金額が度数で表示されるようになっている。この度数表示部を利用して、前記収納部に収納されている前記遊技用記憶媒体の収納枚数を表示するようにしてもよい。
【００１４】
次に、前記収納部に対して台間機前面に設けた挿入口を介して前記遊技用記録媒体の補充および回収を行う補充・回収機構を駆動制御するための信号を発生可能なリモートコントローラを有していることが望ましい。リモートコントローラを所持している各店員は、補充あるいは回収が必要となった遊技台用台間機を遠隔操作して、遊技台用台間機の前面の挿入口を介して補充あるいは回収作業を簡単に行うことができる。
【００１５】
この場合、前記リモートコントローラは、前記収納部に対する前記遊技用記録媒体の補充あるいは回収を行う動作モードを起動させるための起動信号を発生する起動ボタンと、前記動作モードを解除させるための解除信号を発生する解除ボタンと、前記遊技用記録媒体の補充動作の開始を指示する補充信号を発生する補充ボタンと、前記遊技用記録媒体の回収動作の開始を指示する回収信号を発生する回収ボタンとを備えた構成とすることができる。また、前記制御部を、前記の各信号を受け取ると、各信号に対応した動作状態となるように前記補充・回収機構を制御するように構成すればよい。
【００１６】
また、前記補充ボタンは、前記状態表示ランプの前記空状態を表す点灯色に対応した色のボタン操作面を備え、前記回収ボタンは、前記状態表示ランプの前記満杯状態を表す点灯色に対応した色のボタン操作面を備えた構成とすることができる。
【００１７】
例えば、前記状態表示ランプを、前記空状態では紫色で点灯させ、前記満杯状態では黄色で点灯させ、前記正常状態では緑色で点灯させるようにし、前記補充ボタンは紫色のボタン操作面を備え、前記回数ボタンは黄色のボタン操作面を備え、前記起動ボタンは緑色のボタン操作面を備え、前記解除ボタンは赤色のボタン操作面を備えた構成とすることが望ましい。このようにすれば、状態表示ランプの色と、各ボタンが色により対応付けされるので、直感的に、操作の必要なボタンを認識できる。よって、リモートコントローラの操作を簡単かつ誤りなく的確に行うことが可能になる。
【００１８】
次に、前記補充・回収機構による前記遊技用記憶媒体の補充あるいは回収動作時に、前記収納部に収納されている前記遊技用記憶媒体の数を表示するアナウンス表示部を有していることが望ましい。
【００１９】
また、前記の補充あるいは回収を行う動作モードが起動されている間は、前記状態表示部を当該動作モードが起動中である旨を表す表示形態で駆動することが望ましい。
【００２０】
一方、本発明は遊技システムに関するものであり、複数の遊技台と、各遊技台に隣接配置されている複数の遊技台用台間機と、通信回線を介して各遊技台および各遊技台用台間機に接続され、これらを集中管理する管理装置とを有し、前記遊技台用台間機として上記構成のものを採用し、前記管理装置は、各遊技台用台間機から前記収納部に収納されている前記遊技用記憶媒体の収納枚数を表す情報を受信可能であることを特徴としている。この構成の遊技システムによれば、例えば、閉店時などにおいて管理装置の側で各遊技台用台間機における収納状態を一括して把握することができ、これに基づき、迅速かつ的確に、補充あるいは回収が必要な遊技台用台間機に対して補充あるいは回収作業を行うことができるので、極めて便利である。
【発明の効果】
【００２１】
本発明の遊技台用台間機は、状態表示ランプを異なる表示形態で駆動することにより、収納部における遊技用記憶媒体の収納状態を表示している。したがって、店員は状態表示ランプから直ちに、遊技用記憶媒体の補充あるいは回収が必要であるか否かを認識できる。例えば、状態表示ランプを各遊技台用台間機の上端部分に配置しておけば、店員は各遊技島の端から各遊技台用台間機の収納状態を把握でき、補充および回収作業を迅速かつ的確に行うことが可能になる。
【００２２】
また、状態表示ランプは、交通信号機と同様な緊急度に対応した色で収納状態を表示しているので、状態表示ランプを目視した店員は直感的に緊急度を理解できる。よって、迅速な対応が可能になるという効果も得られる。
【００２３】
さらに、リモートコントローラにより各遊技台用台間機の補充・回収機構を起動し、前面の挿入口を介して遊技用記憶媒体の補充、回収を行うようにしている。リモートコントローラの管理を徹底すれば、遊技者などの一般の人によって不正操作などが行われることがない。よって、補充あるいは回収動作を起動するための操作を単純化できる。また、前面から遊技用記憶媒体の補充、回収作業を行うことができるので、従来に比べて、かかる作業を簡単かつ迅速に行うことが可能になる。
【００２４】
これに加えて、リモートコントローラに配置した各ボタンの色を、状態表示ランプの点灯色と対応させるようにしている。この結果、操作が必要なボタンを色によって直感的に理解できるので、誤りなく必要なボタン操作を行うことができるという効果が得られる。
【００２５】
一方、本発明の遊技システムでは、各遊技台用台間機を集中管理している管理装置の側において、各遊技台用台間機における収納状態を一括して把握することができる。よって、これに基づき、迅速かつ的確に、補充あるいは回収が必要な遊技台用台間機に対して補充あるいは回収作業を行うことができるので、極めて便利である。
【発明を実施するための最良の形態】
【００２６】
以下に、図面を参照して、本発明を適用した遊技システムの一例を説明する。
【００２７】
図１は本実施の形態に係る遊技システムを示す部分正面図である。遊技システム１の基本的な構成は一般的なものであり、遊技店(図示せず)内において複数列配置された遊技島２を有し、各遊技島２は、遊技島取付枠３と、この遊技島取付枠３に沿って取り付けられた複数の遊技ユニット４とを備えている。各遊技ユニット４は、パチンコ台やスロット台などの遊技台５と、遊技台５の左側に隣接配置されている台間機(遊技台用台間機)６とを備えている。各遊技島２の各遊技ユニット４は島中継器７および通信回線８を介して遊技店の管理コンピュータ装置９に接続されている。
【００２８】
また、遊技店内には、パチンコ玉、メダルなどの遊技媒体の貸し出しを受けるために用いる遊技用記憶媒体、例えば、磁気カードやＩＣカードなどのカード１０を発行するカード発行機１１が設置されており、これも通信回線８を経由して管理コンピュータ装置９に接続されている。さらに、各台間機６に対する遊技用カードの補充および回収を行う際などに用いるリモートコントローラ１２を備えている。リモートコントローラ１２は赤外線などによる光通信により各台間機６との間で交信可能である。
【００２９】
図２(ａ)、(ｂ)および(ｃ)は台間機６の側面図、正面図および部分拡大正面図である。これらの図に示すように、台間機６は、遊技島取付枠３に固定されている台間機ホルダ１５と、この台間機ホルダ１５に対して前方から水平に差し込み固定可能な台間機本体１６から構成されている。台間機ホルダ１５は、縦枠１５ａと、この縦枠１５ａの上下の端から前方に水平に延びている上側水平枠１５ｂおよび下側水平枠１５ｃとを備えている。下側水平枠１５ｃには電源ユニット１７が取り付けられており、この電源ユニット１７の上面には縦枠１５ａから前方に水平に延びるガイド枠１５ｄが取り付けられている。このガイド枠１５ｄと上側水平枠１５ｂの間に、前方から台間機本体１６が差し込まれている。
【００３０】
台間機本体１６、縦長の扁平な箱型のシャーシ１８と、このシャーシ１８に取り付けられているカードリーダライタ１９、カードストッカ(収納部)２０、制御器２１および紙幣識別機２２と、シャーシ１８の前面に取り付けられている前面パネル２３とを備えている。前面パネル２３には、その上側から順に、状態表示ランプ２４、紙幣挿入口２５、表示部２６および操作部２７が配置されている。さらに、この下側には、台間機本体１６を引き抜く際に用いる摘み部分２８およびカード挿入口２９が形成されている。
【００３１】
表示部２６には、紙幣挿入口２５からの入金が可能であるか否かを示す入金可ランプ２６ａ、入金された金額を表示するための金額表示ランプ２６ｂなどが配列されている。また、表示部２６の下端部分には、リモートコントローラ１２から射出される赤外線による光信号を受信するための赤外線受光部３０が配置されている。この下側に配置されている操作部２７は、６桁の表示器(アナウンス表示部)２７ａと、この下側に並列配置された確認ボタン２７ｂおよびＰボタン２７ｃと、これらの下側に配列されているテンキー２７ｄと、テンキー２７ｄの下側に配置されている再プレイボタン２７ｅとを備えている。
【００３２】
一方、遊技台５には、遊技者が遊技媒体の貸し出しを要求する際に操作される貸し出し要求スイッチ３１と、遊技者がカードの返却を要求する際に操作される返却スイッチ３２と、カードの残金額を度数表示するための３桁の度数表示器３３が配置されている(図１参照)。これらのスイッチ３１、３２からの信号は、隣接する台間機６の制御器２１に入力される。また、制御器２１によって度数表示器３３の表示が制御される。
【００３３】
ここで、制御器２１はマイクロコンピュータを中心に構成されており、挿入されたカード１０による遊技媒体の貸し出し機能と、カード１０の発行機能を備えている。これらの機能は公知の台間機に備わっている機能と同様であるので、それらの詳細については説明を省略する。本例の制御器２１は、これらの機能と共に、カードストッカ２０におけるカード１０の収納状態を、状態表示ランプ２４の点灯形態を異ならせることにより表示するカード収納状態表示機能を備えている。また、カードストッカ２０に対して、カードリーダライタ１９のカード搬送機構をカード補充・回収機構として利用して、カード１０の補充および回収を行うカード補充・回収機能を備えている。カード補充・回収機能の起動、解除は、リモートコントローラ１２によって行うことができるようになっている。
【００３４】
また、管理コンピュータ装置９からの要求に応答して、または、定期的に、あるいは営業時間の終わりの時点において、各台間機６の制御器２１は収納枚数、収納状態に関する情報を管理コンピュータ装置９に送信するように構成されている。したがって、管理コンピュータ装置９の側において、各台間機６におけるカードストッカ２０の収納状態を一括して把握することができる。よって、各台間機６に対するカード１０の補充あるいは回収作業を速やかに行うことが可能になる。
【００３５】
次に、図３はリモートコントローラ１２の平面図である。リモートコントローラ１２は扁平な直方体形状をしており、その上面１２ａが操作面とされ、その前端面に赤外線発光部１２ｂが配置されている。操作面１２ａには、カード補充・回収動作を制御するための起動ボタン４１、解除ボタン４２、補充ボタン４３および回収ボタン４４が配列されている。また、端数ボタン４５およびイベント解除ボタン４６も配置されている。
【００３６】
起動ボタン４１を操作すると、カード補充・回収動作を起動させるための起動信号が発生し、この起動信号を赤外線受光部３０を介して受け取ると、制御器２１は通常の動作モードからカード補充・回収モード(以下、このモードを「ストックカードオペレーションモード」と呼ぶ。)に切り換わる。解除ボタン４２を操作すると解除信号が発生し、これを受けた制御器２１はストックカードオペレーションモードを解除して通常の動作モードに復帰する。補充ボタン４３を操作すると補充信号が発生し、これを受けた制御器２１は、カード挿入口２９を介してカードストッカ２０へカードを補充する動作を可能にする。回収ボタン４４を操作すると回収信号が発生し、これを受けた制御器２１は、カード挿入口２９を介してカードストッカ２０に溜まっているカードを外部に排出する排出動作を可能にする。端数ボタン４５を操作することにより、台間機６の各種の状態を３桁の度数表示部３３に表示可能である。また、イベント解除ボタン４６は、管理コンピュータ装置９の側から各遊技ユニット４に提供される特典サービスなどのイベント表示状態あるいはイベント実行状態を解除するためのものである。
【００３７】
ここで、リモートコントローラ１２における操作面１２ａは黒色とされており、そこに配置されている起動ボタン４１のボタン操作面は緑色とされ、解除ボタン４２のボタン操作面は赤色とされ、補充ボタン４３のボタン操作面は紫色とされ、回収ボタン４４のボタン操作面は黄色とされている。また、端数ボタン４５およびイベント解除ボタン４６のボタン操作面は青色とされている。これらの各色は、後述のように、これらのボタンを操作した場合における状態表示ランプ２４の点灯色に一致させてある。
【００３８】
（カード収納状態表示機能）
次に、本例の遊技システム１における各台間機６のカード収納状態表示機能を説明する。各台間機６のカードストッカ２０には、例えば最大で１０枚のカードを収納可能となっている。収納されているカードは、残金額が０円のものである。遊技者が、紙幣挿入口２５から紙幣を挿入すると、カード１０がカードストッカ２０からカードリーダライタ１９内に搬出され、ここにおいて、投入された紙幣金額に対応する残金額が記録されたカード１０が作成される。貸し出し要求スイッチ３１を押すと、一定金額分の遊技媒体が遊技台５に貸し出されて、遊技が可能になる。カード１０の残金額からは一定金額が減算される。遊技終了後に、カード返却スイッチ３２を押すと、カードリーダライタ１９内に保持されていたカード１０がカード挿入口２９から排出され、遊技者に戻される。このような動作は従来の場合と同様である。
【００３９】
ここで、遊技者の利用状況によって、台間機６のカードストッカ２０が回収したカード１０で満杯状態(以下、フル状態と呼ぶ。)になる場合、逆に残り枚数が零になる空状態(以下、エンプティ状態と呼ぶ。)になる場合がある。エンプティ状態に陥ると、カード１０の発行動作ができなくなり、隣接の遊技台５で遊技することができなくなる。また、フル状態に陥ると、残金額が零になったカード１０を回収できなくなる。
【００４０】
本例では、制御器２１において常にカードストッカ２０の収納状態を監視している。収納枚数が、例えば４〜７枚の場合には、状態表示ランプ２４は緑色の点灯状態が維持される。収納枚数が、予め設定しておいた上限枚数(ニアフル)以上になると、例えば、収納枚数が８枚以上になると、状態表示ランプ２４は黄色の点灯状態に切り換わり、その状態がフル(１０枚)になっても継続する。同様に、予め定めた下限枚数(ニアエンプティ)以下になると、例えば、収納枚数が３枚以下になると、状態表示ランプ２４が紫色の点灯状態に切り換わり、その状態がエンプティ状態(０枚)になっても継続する。
【００４１】
また、操作部２７の表示器２７ａ(アナウンス表示部)は、フル状態になると「ＦＵＬＬ」を表示し、正常時およびそれ以外の状態では無表示状態を保持する。度数表示器３３は、正常時、フル状態、ニアフル状態およびニアエンプティ状態ではカードの残度数を表示し、エンプティ状態に陥ると、カード補充を促す促進表示を行う。
【００４２】
さらに、通常の運用時とは別に、締め(営業終了)時における収納カード枚数の上下限枚数も設定可能となっており、設定した上限枚数以上の状態の場合(ニアフル状態)、および下限枚数以下の状態の場合(ニアエンプティ状態)には、締め時にメンテナンスモード(リモートコントローラ１２から起動するメンテナンスモードとは異なるモードである。)に遷移することにより、状態表示ランプ２４が緑色の点滅状態に切り換わり、また、表示器２７ａに収納枚数を意味する「ｎｕｂ」と、収納枚数を表す数字とが表示される。これにより、締め後の店員による０円カードの補充作業の効率化を図っている。なお、表示制御は制御器２１により行われる。
【００４３】
表１には、通常の運用時および締め時における各収納状態(正常状態を除く。)での状態表示ランプ２４、度数表示器３３および表示器２７ａの表示形態と、入金およびカード挿入の可否を纏めて示してある。
【００４４】
【表１】
2005342243.tif 000003
【００４５】
このように、本例では、収納状態に応じて状態表示ランプ２４の点灯色が異なる色に切り換わる。したがって、店員はこの状態表示ランプ２４を見ることにより、収納状態を認識でき、補充あるいは回収が必要な台間機６に出向き、カード１０の補充あるいは回収作業を速やかに行うことができる。
【００４６】
ここで、本例では、リモートコントローラ１２の端数ボタン４５を操作することにより、カードストッカ２０の収納状態および収納枚数を、遊技台５の側の度数表示器３３に表示して、それらを確認できるようになっている。この詳細については後述する。
【００４７】
（カードの補充・回収機能）
次に、台間機６のカードストッカ２０に対するカード１０の補充あるいは回収は、ストックカードオペレーションモードを起動することにより、可能になる。図４に示すように、ストックカードオペレーションモードの起動操作は、まず、リモートコントローラ１２を対象となる台間機６の赤外線受光部３０に向け、その起動ボタン４１を押す(図４(ａ))。台間機６の制御器２１は、赤外線受光部３０を介して起動信号を受け取ると、ストックカードオペレーションモードを起動し、ストックカードオペレーションモードが起動したことを表示するために、状態表示ランプ２４を、緑色と黄色の交互点滅状態となるように駆動する。同時に、操作部２７の表示器２７ａに、カードストッカ２０におけるカード収納枚数を表示する(図４(ｂ))。図示の例は、収納枚数が零であることを示す「  ｎｕｂ  ０」
が表示された状態である。
【００４８】
なお、ストックカードオペレーションモードの起動は、エラー発生中の場合、電源がオフの場合などには起動されない。また、カード１０が挿入中の場合や、カード１０以外のカード、例えば、会員カードが挿入されている場合にも起動されない。
【００４９】
図５はカード補充動作を示す説明図である。この図を参照して説明すると、エンプティ状態になったカードストッカ２０にカードを補充する場合には、ストックカードオペレーションモードが起動した後にリモートコントローラ１２の補充ボタン４３を押す(図５(ａ))。補充ボタン４３のボタン操作面の色は紫色であり、カードストッカ２０がエンプティ状態に陥ったときの状態表示ランプ２４の点灯色と同一である。したがって、店員は操作が必要なボタンを直感的に把握できるので便利である。
【００５０】
制御器２１は補充ボタン操作により発生する補充信号を受け取ると、カード補充可能な状態に切り替え、操作部２７の表示器２７ａの表示を、補充モード実行中で収納枚数が０枚であることを示す表示状態に切り替える。すなわち、図５(ｂ)に示すように「    ｉｎ  ０」が表示される。
【００５１】
この後は、店員がカード挿入口２９からカード１０を挿入すると、カードリーダライタ１９のカード搬送機構が駆動して、挿入されたカード１０をカードストッカ２０に補充する動作を行う。カード１０が挿入される毎に、収納枚数がカウントアップされ、その収納枚数が操作部２７の表示器７ａに表示される(図５(ｃ))。
【００５２】
補充によりカードストッカ２０の収納枚数が適正枚数、例えば５になった後は、店員は補充モードを解除するために、リモートコントローラ１２の解除ボタン４２を押す(図５(ｄ))。これにより発生する解除信号を制御器２１が受け取ると、ストックカードオペレーションモードが解除され通常のモードに復帰する。この結果、表示器２７ａの表示が消え、状態表示ランプ２４は正常状態を示す緑色の点灯状態に切り替わる。なお、補充モード中に、収納枚数が１０枚に達してしまった場合には、制御器２１はストックカードオペレーションモードを解除するようになっている。
【００５３】
一方、カード１０を補充する場合には、ストックカードオペレーションモードを起動せずに、残金額が０円のカード１０がカード挿入口２９に挿入されると、それを自動的にカードストッカ２０に補充するようにしてもよい。
【００５４】
次に、図６はカードの回収動作を示す説明図である。この図を参照して説明すると、フル状態になったカードストッカ２０からカードを回収する場合には、ストックカードオペレーションモードが起動した後にリモートコントローラ１２の回収ボタン４４を押す(図６(ａ))。回数ボタン４４のボタン操作面の色は黄色であり、カードストッカ２０がフル状態に陥ったときの状態表示ランプ２４の点灯色と同一である。したがって、店員は操作が必要なボタンを直感的に把握できるので便利である。
【００５５】
制御器２１は回収ボタン操作により発生した回収信号を受け取ると、カード回収可能な状態に切り替え、操作部２７の表示器２７ａの表示を、回収モード実行中で収納枚数が１０枚であることを示す表示状態に切り替える。すなわち、図６(ｂ)に示すように「  ｏｕｔ１０」が表示される。
【００５６】
この後は、カードストッカ２０から１枚ずつカード１０が排出され、カードリーダライタ１９のカード搬送機構によってカード挿入口２９からカード１０が排出される。カード挿入口２９から店員がカード１０を抜き取ると、次のカード１０をカードストッカ２０から排出する動作が始まる。カードストッカ２０の収納枚数がカウントダウンされ、残存枚数が図６(ｃ)に示すように、操作部２７の表示器２７ａに表示される。
【００５７】
カードストッカ２０の収納枚数が適正枚数、例えば５枚になった後は、カード挿入口２９に排出されているカードを抜き取る前に、店員が回収モードを解除するために、リモートコントローラ１２の解除ボタン４２を押す(図６(ｄ))。これにより発生する解除信号を制御器２１が受け取ると、ストックカードオペレーションモードが解除され通常のモードに復帰する。この後は、店員によりカード挿入口２９に排出されているカード１０が抜き取られる。この結果、表示器２７ａの表示が消え、状態表示ランプ２４は正常状態を示す緑色の点灯状態に切り替わる。
【００５８】
なお、回収モード中に収納枚数が０枚になってしまった場合には、制御器２１はストックカードオペレーションモードを解除するようになっている。
【００５９】
このように、カード１０の補充・回収動作は、リモートコントローラ１２の補充ボタン４３、回収ボタン４４を操作し、台間機６の前方からカード挿入口に対してカードを出し入れするという簡単な作業に行うことができる。
【００６０】
（端数表示）
ここで、リモートコントローラ１２の端数ボタン４５を押すことにより、遊技台５および台間機６の設定情報などの各種の情報が、度数表示器３３に表示されるようになっている。本例では、端数ボタン４５の操作回数に応じて各種の情報が表示される。例えば、端数ボタン４５を５回押すと、制御器２１は度数表示器３３に、カードストッカ２０の収納状態、収納枚数を定まった順序で切り替え表示する。図６には表示形態の一例を示してある。
【００６１】
この図において、まず、ファンクション番号「Ｃ１」を表示し、次に表示される数字が現在収納されている収納枚数であることを示した後に(図６(ａ))、現在の収納枚数、例えば「７」を表示する(図６(ｂ))。次に、ファンクション番号「Ｃ２」を表示し、次の表示がカードストッカ２０の収納状態(フル状態、エンプティ状態、正常状態)を表すことを示した後に(図６(ｃ))、フル状態の場合には「ＦＵＬ」、エンプティ状態の場合には「ＥＰＹ」と表示し、正常状態の場合には無表示とする(図６(ｄ))。次に、ファンクション番号「Ｃ３」を表示し、次の表示が営業中の収納枚数の上限および下限枚数であることを示し(図６(ｅ))、まず、上限枚数である「１０」を表示し(図６(ｆ))、次に下限枚数である「０」を表示する(図６(ｇ))。この後は、ファンクション番号「Ｃ４」を表示して、次の表示が営業終了時の収納枚数の上限および下限枚数であることを示し(図６(ｈ))、上限枚数である「１０」および下限枚数である「０」を順次に表示する(図６(ｉ)、(ｊ))。
【００６２】
したがって、店員はリモートコントローラ１２の端数ボタン４５を押すことにより、簡単に各台間機６のカードストッカ２０の収納枚数を確認することができる。
【図面の簡単な説明】
【００６３】
【図１】本発明を適用した台間機を備えた遊技システムの部分正面図である。
【図２】(ａ)および(ｂ)は図１の遊技システムの台間機の側面図、正面図および部分拡大正面図である。
【図３】図１の遊技システムのリモートコントローラの平面図である。
【図４】通常の動作モードからストックカードオペレーションモードへの切り替え操作を示す説明図である。
【図５】カードの補充動作を示す説明図である。
【図６】カードの回収動作を示す説明図である。
【図７】度数表示器による収納状態・枚数の表示例を示す説明図である。
【符号の説明】
【００６４】
１    遊技システム
４    遊技ユニット
５    遊技台
６    台間機
９    管理コンピュータ装置
１０  カード
１２  リモートコントローラ
１９  カードリーダライタ
２０  カードストッカ
２１  制御器
２２  紙幣識別機
２３  前面パネル
２４  状態表示ランプ
２５  紙幣挿入口
２７  操作部
２７ａ  表示器(アナウンス表示部)
２９  カード挿入口
３０  赤外線受光部
３３  度数表示器
４１  起動ボタン
４２  解除ボタン
４３  補充ボタン
４４  回収ボタン
４５  端数ボタン
【図１】
2005342243.tif 000004
【図２】
2005342243.tif 000005
【図３】
2005342243.tif 000006
【図４】
2005342243.tif 000007
【図５】
2005342243.tif 000008
【図６】
2005342243.tif 000009
【図７】
2005342243.tif 000010
【手続補正書】
【提出日】平成16年7月1日(2004.7.1)
【手続補正１】
【補正対象書類名】特許請求の範囲
【補正対象項目名】請求項１２
【補正方法】変更
【補正の内容】
【請求項１２】
請求項８において、
前記の補充あるいは回収を行う動作モードが起動されている間は、前記状態表示部は当該動作モードが起動中である旨を表す表示形態で駆動されることを特徴とする遊技台用台間機。
【手続補正２】
【補正対象書類名】明細書
【補正対象項目名】００６１
【補正方法】変更
【補正の内容】
【００６１】
この図において、まず、ファンクション番号「Ｃ１」を表示し、次に表示される数字が現在収納されている収納枚数であることを示した後に(図６(ａ))、現在の収納枚数、例えば「７」を表示する(図６(ｂ))。次に、ファンクション番号「Ｃ２」を表示し、次の表示がカードストッカ２０の収納状態(フル状態、エンプティ状態、正常状態)を表すことを示した後に(図６(ｃ))、フル状態の場合には「ＦＵＬ」、エンプティ状態の場合には「ＥＰｔ」と表示し、正常状態の場合には無表示とする(図６(ｄ))。次に、ファンクション番号「Ｃ３」を表示し、次の表示が営業中の収納枚数の上限および下限枚数であることを示し(図６(ｅ))、まず、上限枚数である「１０」を表示し(図６(ｆ))、次に下限枚数である「０」を表示する(図６(ｇ))。この後は、ファンクション番号「Ｃ４」を表示して、次の表示が営業終了時の収納枚数の上限および下限枚数であることを示し(図６(ｈ))、上限枚数である「１０」および下限枚数である「０」を順次に表示する(図６(ｉ)、(ｊ))。